(57)【要約】【課題】  鋼製引戸門扉のローラー位置に設置した下向き転倒防止金具をガイドレール下面に引掛け係合するように床面に凹陥状に形成したガイド溝に小石，砂，塵埃等が入り込むのを防止する。【解決手段】  床面に形成した上向き開口にしてガイドレール２の外向き係合面２１下方に至る屈曲断面のガイド溝３に，その全長に亘るようにＥＰＤＭ等合成ゴムの弾性長尺溝塞ぎ材４を密に装着する。下向き転倒防止金具１８は弾性長尺溝塞ぎ材４を押し退けるように進行できる一方，ガイド溝３のその余の部分は弾性長尺溝塞ぎ材４が弾発的に閉塞することによって小石等の入り込みを防止できる。ガイド溝３に形成したアンカー溝３３に弾性長尺塞ぎ材４のアンカー３３を圧入してアンカー効果を奏するようにする。【選択図】        図５
2005344410.tif 000002
【特許請求の範囲】
【請求項１】
床面に埋設設置したローラー転動用ガイドレール下面の外向き係合面に門扉本体に設置した下向き転倒防止金具の内向き水平片を引掛け状に係合することによって門扉本体の転倒を防止するようにした門扉であって，上記ガイドレールの埋設設置に伴って床面に形成される上向きに開口して上記外向き係合面下方に至るガイド溝に弾性長尺溝塞ぎ材を一連に配置して該ガイド溝を床面と面一且つ弾発的に閉塞してなることを特徴とする引戸等横引き開閉用の門扉。
【請求項２】
上記弾性長尺溝塞ぎ材を上記ガイド溝に合わせた断面形状に形成してなることを特徴とする請求項１に記載の引戸等横引き開閉用の門扉。
【請求項３】
上記弾性長尺溝塞ぎ材を合成ゴムの押出成形中空材によって形成してなることを特徴とする請求項１又は２に記載の引戸等横引き開閉用の門扉。
【請求項４】
上記弾性長尺溝塞ぎ材を，上記ガイドレールに設置して床面コンクリートを打設することによってガイドレールとともに床面に埋設設置してなることを特徴とする請求項１，２又は３に記載の引戸等横引き開閉用の門扉。
【発明の詳細な説明】
【技術分野】
【０００１】
本発明は門扉に関し，特に引戸門扉，伸縮門扉等横引き開閉を行なう引戸等横引き開閉用の門扉に関する。
【背景技術】
【０００２】
この種横引き開閉用の門扉として，床面に埋設設置したローラー転動用ガイドレール下面の外向き係合面に門扉本体に設置した下向き転倒防止金具の内向き水平片を引掛け状に係合することによって門扉本体の転倒を防止するようにしたものが知られており，このとき上記ガイドレールの埋設設置に伴って床面にはコンクリート面又はガイドレールと一体の金属面による上向きに開口して上記外向き係合面下方に至り，上記下向き転倒防止金具の走行用とされるガイド溝が形成されたものとされている。
【０００３】
【特許文献１】実公昭５５−６９５９号実用新案公報
【特許文献２】実公平８−４７４号実用新案公報
【発明の開示】
【発明が解決しようとする課題】
【０００４】
この場合ガイド溝は床面から凹陥するように開口しているため小石，砂，塵埃等が入り込み易く，これらが入り込むと，ガイド溝は上記上向きに開口してガイドレールの外向き係合面下方に至る奥行のある断面形状とされていることによってこれらの取り出し清掃が必ずしも容易ではなく，また小石等が上記下向き転倒防止金具の走行を妨害して，門扉のスムーズな開閉が損なわれる原因になり易い。
【０００５】
本発明はかかる事情に鑑みてなされたもので，その解決課題とするところは下向き転倒防止金具の走行を阻害することなく小石，砂，塵埃等の入り込みを防止することによって，清掃することなく門扉のスムーズな開閉を確保し得るようにした引戸等横引き開閉用の門扉を提供するにある。
【課題を解決するための手段】
【０００６】
上記課題に添って本発明は，上記ガイド溝を，例えば軟質系材料による弾性長尺塞ぎ材によって床面と面一且つ弾発的に閉塞することによって，下向き転倒防止金具が弾性長尺塞ぎ材を押し退けるようにこれを弾発的に変形させてガイド溝を走行し得るようにして該弾性長尺塞ぎ材が下向き転倒防止金具位置でこれに圧接する一方，その余のガイド溝の全長でガイドレールに圧接することによりガイド溝に小石，砂，塵埃等が入り込むのを防止し得るようにしたものであって，即ち請求項１に記載の発明を，床面に埋設設置したローラー転動用ガイドレール下面の外向き係合面に門扉本体に設置した下向き転倒防止金具の内向き水平片を引掛け状に係合することによって門扉本体の転倒を防止するようにした門扉であって，上記ガイドレールの埋設設置に伴って床面に形成される上向きに開口して上記外向き係合面下方に至るガイド溝に弾性長尺溝塞ぎ材を一連に配置して該ガイド溝を床面と面一且つ弾発的に閉塞してなることを特徴とする引戸等横引き開閉用の門扉としたものである。
【０００７】
請求項２に記載の発明は，上記に加えて，弾性長尺溝塞ぎ材をガイド溝に密に配置することによってガイド溝との間に空隙を生じたり，また該空隙に砂，塵埃等が入り込んで該弾性長尺塞ぎ材が変形して床面から隆起したりするような設置の不良を可及的に解消し得るように，これを，上記弾性長尺溝塞ぎ材を上記ガイド溝に合わせた断面形状に形成してなることを特徴とする請求項１に記載の引戸等横引き開閉用の門扉としたものである。
【０００８】
請求項３に記載の発明は，同じく上記に加えて，弾性長尺塞ぎ材の耐久性を可及的に確保するとともにその上記下向き転倒防止金具位置における変形とこれに対する圧接及びガイドレールに対する圧接を可及的に好ましい弾性を発揮してなし得るものとするように，これを，上記弾性長尺溝塞ぎ材を合成ゴムの押出成形中空材によって形成してなることを特徴とする請求項１又は２に記載の引戸等横引き開閉用の門扉としたものである。
【０００９】
請求項４に記載の発明は，同じく上記に加えて，ガイドレールとともに弾性長尺溝塞ぎ材を同時に設置することによって可及的簡易且つ確実にその設置をなし得るものとするように，これを，上記弾性長尺溝塞ぎ材を、上記ガイドレールに設置して床面コンクリートを打設することによってガイドレールとともに床面に埋設設置してなることを特徴とする請求項１，２又は３に記載の引戸等横引き開閉用の門扉としたものである。
【００１０】
本発明はこれらをそれぞれ発明の要旨として上記課題解決の手段としたものである。
【発明の効果】
【００１１】
本発明は以上のとおりに構成したから，請求項１に記載の発明は，ガイド溝を弾性長尺塞ぎ材によって床面と面一且つ弾発的に閉塞することによって，下向き転倒防止金具が弾性長尺塞ぎ材を押し退けるようにこれを弾発的に変形させてガイド溝を走行し得るようにして該弾性長尺塞ぎ材が下向き転倒防止金具位置でこれに圧接する一方，その余のガイド溝の全長でガイドレールに圧接することによって，下向き転倒防止金具の走行を阻害することなく小石，砂，塵埃等の入り込みを防止し，ガイド溝を清掃することなく門扉のスムーズな開閉を確保し得るようにした引戸等横引き開閉用の門扉を提供することができる。
【００１２】
請求項２に記載の発明は，上記に加えて，弾性長尺溝塞ぎ材をガイド溝に密に配置することによってガイド溝との間に空隙を生じたり，また該空隙に砂，塵埃等が入り込んで該弾性長尺塞ぎ材が変形して床面から隆起したりするような設置の不良を可及的に解消することができる。
【００１３】
請求項３に記載の発明は，同じく上記に加えて，弾性長尺塞ぎ材の耐久性を可及的に確保するとともにその上記下向き転倒防止金具位置における変形とこれに対する圧接及びガイドレールに対する圧接を可及的に好ましい弾発性を発揮してなし得るものとすることができる。
【００１４】
請求項４に記載の発明は，同じく上記に加えて，ガイドレールとともに弾性長尺溝塞ぎ材を同時に設置することによって可及的簡易且つ確実にその設置をなし得るものとすることができる。
【発明を実施するための最良の形態】
【００１５】
以下図面の例に従って本発明を更に具体的に説明すれば，Ａは，本例において鋼製引戸門扉とした門扉であり，該門扉Ａは，床面に埋設設置したローラー転動用ガイドレール２下面の外向き係合面２１に門扉本体１に設置した下向き転倒防止金具１８の内向き水平片１９を引掛け状に係合することによって門扉本体１の転倒を防止するようにしてあり，このときその上記ガイドレール２の埋設設置に伴って床面に形成される上向きに開口して上記外向き係合面下方に至るガイド溝３に弾性長尺溝塞ぎ材４を一連に配置して該ガイド溝３を床面と面一且つ弾発的に閉塞したものとしてある。
【００１６】
本例にあって門扉本体１は，上下枠１１の両端とその中間に所定間隔の縦桟１２と縦小桟１３を配置した長尺の縦格子仕切体を，平面長尺矩形をなす台車１４の前後一方，特に正面側に位置するように配置し，縦格子仕切体の各縦桟１２背面と台車１４の前後他方，特に背面側を屈曲控柱１５によって連結した，例えば横幅を５，６ｍの長さとし，台車部分における前後の奥行を７０乃至８０ｃｍ程度とした長尺にして幅広の奥行を有するアルミ製乃至鋼製の引戸としてあり，その長手方向両側寄りの中間位置２箇所で台車１４の内外双方にそれぞれ前後で対をなす断面倒Ｔ字状鋼製の上記ローラー１６を設置したものとしてある。
【００１７】
ガイドレール２は上記台車１４の内外で対をなすローラー１６の位置に合せて，本例にあってコンクリート床面にその上面を床面と面一として一対を平行に埋設設置し，上記前後に対をなすローラー１６を転動自在としてあり，本例にあって該ガイドレール２は，例えばそれぞれ断面Ｃ字状をなす鋼製チャンネル材を用い，該一対の鋼製チャンネル材における溝が前後に背合せ状となるように連結材２２で連結して平面矩形枠状としたものを用いて，常法に従って床面コンクリートを打設してその埋設設置を行なうことによって，各ガイドレール２における上端の水平突片を前方において正面側，後方において背面側に向けるように外向きに配置してその下面を外向き係合面２１とするとともに各ガイドレール２の外側に床面から凹陥状をなすように上記上向き開口のガイド溝３を形成してある。
【００１８】
本例にあってガイド溝３は，コンクリート床面から底部方向に向けて，例えば４５度の角度で傾斜する傾斜側面３１と，この傾斜側面３１の下端から埋込設置したガイドレール２の上下中間位置に至る水平の底部面３２とを備えることによって，上向き開口の一端を床面と面一なガイドレール２の上端の水平突片をガイド溝３の横断方向に突出させ，開口からガイドレール２の水平突片に至る倒へ字状に屈曲した奥行のある屈曲断面形状を呈する形態としてある。
【００１９】
門扉本体１は，そのローラー１６を各ガイドレール２の上面と背面上端にＬ字状に載置係合してその転動を自在としてローラー１６の脱輪を防止して可及的に安定した転動を行なうようにする一方，門扉本体１が前後方向に強い外力を受けたときにその転倒を防止するために上記下向き転倒防止金具１８を備え，該下向き転倒防止金具１８を，上記ガイドレール２の水平突片下面の外向き係合面２１に引掛状に係合することによって，常に転倒を防止する状態でガイドレール２による安定した開閉走行を行なうようにしてあり，本例にあって該下向き転倒金具１８は，これを上記ローラー１６を軸支固定する各ローラーケース１７の外側にそれぞれボルト等の固定金具によって固定し，下端に上記内向きの水平片１９を備えた，ローラーケース１７から傾斜部を介して下向きに突出した短寸にして各ローラー１６位置に設置したものとしてあり，ガイドレール２の上記水平突片を外側から覆うように内向きの水平片１９をガイドレール２の溝内に挿入してその引掛状の係合を行って前後方向の各外力に対して外力を受ける側の下向き転倒防止金具１８が長手方向両側寄りの中間位置２箇所でその転倒防止の機能を発揮するようにしてある。
【００２０】
このとき上述のとおり，上記ガイド溝３には弾性長尺溝塞ぎ材４を一連に配置して該ガイド溝３を床面と面一且つ弾発的に閉塞してあることによって，門扉本体１がガイドレール２の案内により開閉走行するに際して，上記下向き転倒防止金具１８が該弾性長尺塞ぎ材４を押し退けるようにこれを弾発的に変形させてガイド溝３を走行し得るようにして該弾性長尺塞ぎ材４が下向き転倒防止金具１８位置でこれに圧接する一方，その余のガイド溝３の全長でガイドレール２，特にその外向き係合面２１に圧接することによりガイド溝３に小石，砂，塵埃等が入り込むのを防止し得るようにしてある。
【００２１】
本例にあって該弾性長尺溝塞ぎ材４は，ガイド溝３と同長の長尺のものとして該ガイド溝３をその全長に亘って閉塞するとともにガイド溝３に合わせた断面形状に形成して該ガイド溝３に密に配置することによってガイド溝３との間に空隙を生じたり，また該空隙に砂，塵埃等が入り込んで該弾性長尺塞ぎ材４が変形して床面から隆起したりするような設置の不良を可及的に解消するものとしてあり，このとき本例の弾性長尺溝塞ぎ材４は，特に軟質系材料によるものとするように，これを合成ゴムの押出成形中空材によって一連一体に形成したものとしてある。
【００２２】
即ち本例の弾性長尺溝塞ぎ材４は，例えばＥＰＤＭ等のエチレン・プロピレンゴム系の，耐候性に優れて弾発性を発揮するに適した合成ゴムを用いてガイド溝３の上記屈曲断面形状の外形に添って，例えば数ｍｍ乃至それ以下の肉厚を有するように一体に押出成形した中空形状のものとしてあり，耐候性を確保することによって，合成樹脂の押出成形中空材を使用する場合等に比してその劣化を可及的に防止して耐久性を可及的に確保し得るようにし，また中空形状とすることによって弾発性の発揮を容易化し，上記下向き転倒防止金具１８位置における変形とこれに対する圧接及びガイドレール２に対する圧接を可及的有効になし得るようにしてある。このとき本例にあって該弾性長尺溝塞ぎ材４は更にその外周面，即ちガイド溝３の，例えば傾斜側面３１と水平の底部面３２との接触面に長手方向一連のアンカー４１を一体に突出配置したものとしてあり，本例のアンカー４１は，図８に示すように、これを突出基部とその側面に基部突出方向と鈍角をなして傾斜方向に交差突出し且つその側面、例えば片側の側面に各複数の返し条を突設した突条によるものとしてある（図８以外の図においては該返し条の図示を省略した）。該アンカー４１は、これを、例えばガイド溝３の傾斜側面３１と水平の底部面３２にガイド溝３長手方向に向けて配置したアンカー溝３３に受入れ固定することによって、そのアンカー効果を奏するようにしてある。
【００２３】
本例の弾性長尺溝塞ぎ材４は，上記ガイド溝３と同一の屈曲断面形状をなしてガイド溝３の全長に配置することによって該弾性長尺溝塞ぎ材４は屈曲したガイド溝３に対して嵌合して，それ自体外れ難く安定した配置をなし得るものとなし得るが，本例にあっては更に弾性長尺溝塞ぎ材４の上記アンカー４１のアンカー溝３３への受入れ固定によるアンカー効果によって該弾性長尺溝塞ぎ材４が外れたりすることなく、これを長期に亘って安定保持し得るようにしてある。
【００２４】
弾性長尺溝塞ぎ材４は、ガイド溝３の形成後に、例えばこれに挿入するように後設置してその配置を行なうことも可能であるが、本例にあって該弾性長尺溝塞ぎ材４は、これを、上記ガイドレール２に設置して床面コンクリートを打設することによってガイドレール２とともに床面に埋設設置したものとしてある。このとき該弾性長尺溝塞ぎ材４は，上記ガイドレール２と同一長さを有するように成形した長尺のものを用いて、ガイドレール２の水平突片下面に，例えば接着剤，両面粘着テープ等によって固定して、ガイドレール２設置地面にコンクリートの打設を行ない，該打設したコンクリートを硬化させることによってその設置を行ったものとしてあり、これにより上記弾性長尺溝塞ぎ材４を、ガイドレール２とともに床面に埋設設置し、その現場工事を可及的簡易になし得るようにしてあり、また上記返し条付きのアンカー４１のアンカー溝３３への受入れ固定をなし得るようにしてある。また本例にあってはガイドレール３の背面上端部分には図示省略の発泡樹脂長尺材を設置して上記床面コンクリートの打設を行なうようにして，該ガイドレール２の背面上端部分に上記断面倒Ｔ字状のローラー１６の張出部受入用に上向き開口低細溝のローラー溝２４を同時に形成したものとしてある。
【００２５】
従って本例にあって弾性長尺溝塞ぎ材４がガイド溝３を閉塞することによって該ガイド溝３に小石，砂，塵埃等が入り込むのを防止し，ガイド溝３を清掃することなく門扉本体１のスムーズな開閉を確保する一方，該弾性長尺溝塞ぎ材４の閉塞によって下向き転倒防止金具１８の走行が阻害されることがない。
【００２６】
図示した例は以上のとおりとしたが，上記アンカー及びアンカー溝の設置を省略し，傾斜側面乃至水平の底部面をフラットとすることによってガイド溝を上記屈曲断面のものとして弾性長尺塞ぎ材を該ガイド溝に合せた形状として同様にガイド溝に一連に配置して該ガイド溝を床面と面一且つ弾発的に閉塞すること，アンカーを設置するとき、例えばガイド溝に弾性長尺溝塞ぎ材を後配置できるように、該アンカーを返し条のない突条等によるものとすること、この場合を含め必要に応じて弾性長尺塞ぎ材のガイド溝への配置に接着等適宜の固定手段を用いて弾性長尺塞ぎ材を固定すること，ガイド溝をガイドレールに一体に形成するとともに該ガイドレールの成形時にガイド溝にアンカー係合部等を配置し，これに合せた断面形状の突起乃至溝を弾性長尺塞ぎ材に形成することによってアンカー効果を奏するようにすること、弾性長尺塞ぎ材を硬質乃至半硬質の基部とこれと一体に成形した軟質系材料の弾性塞ぎ部とによる複数材料押出成形等の成形材によるものとすること，門扉本体を伸縮開閉等の引戸以外の横引き開閉用のものとすること等を含めて，本発明の実施に当って，ガイドレール，門扉本体，下向き転倒防止金具，ガイド溝，弾性長尺溝塞ぎ材，必要に応じて用いる発泡樹脂長尺材，アンカーとアンカー溝の固定手段等の各具体的材質，形状，構造，これらの関係，これらに対する付加等は上記発明の要旨に反しない限り様々の形態とすることができる。
【図面の簡単な説明】
【００２７】
【図１】門扉の正面図である。
【図２】門扉の側面図である。
【図３】ガイドレールの設置状態を示す縦断面図である。
【図４】門扉とガイドレールの関係を示す縦断面図である。
【図５】下向き転倒防止金具と弾性長尺溝塞ぎ材との関係を示す斜視図である。
【図６】下向き転倒防止金具位置における弾性長尺溝塞ぎ材を示す縦断面図である。
【図７】下向き転倒防止金具以外の位置における弾性長尺溝塞ぎ材を示す縦断面図である。
【図８】弾性長尺溝塞ぎ材の斜視図である。
【符号の説明】
【００２８】
Ａ  門扉
１  門扉本体
１６  ローラー
１８  下向き転倒防止金具
１９  内向き水平片
２  ガイドレール
２１  外向き係合面
３  ガイド溝
４  弾性長尺溝塞ぎ材
【図１】
2005344410.tif 000003
【図２】
2005344410.tif 000004
【図３】
2005344410.tif 000005
【図４】
2005344410.tif 000006
【図５】
2005344410.tif 000007
【図６】
2005344410.tif 000008
【図７】
2005344410.tif 000009
【図８】
2005344410.tif 000010